(57)【要約】【課題】  光拡散性能に優れかつ光線透過性能に優れて高画質で明るい画像が得られると共に、映写画像にムラや明るさの不均一な部分のないプロジェクション用スクリーンを提供する。【解決手段】  この発明のプロジェクション用スクリーンは、主体部１１に対して屈折率が０．００１以上異なる微小層１２がスクリーン表面に対して所定の角度をなして縞模様状に形成された微細構造を有したスクリーンを備えてなり、前記微小層１２は、少なくとも２種類の周期または幅を有し、前記微小層１２の少なくとも１種類の周期または幅Λ1 が、１０μｍ≦Λ1 ≦３００μｍの関係を満たす一方、他の少なくとも１種類の周期または幅Λ2 が、０．２μｍ≦Λ2 ≦４．０μｍの関係を満たすように構成されていることを特徴とする。【選択図】  図１
2006047527.tif 000002
【特許請求の範囲】
【請求項１】
主体部に対して屈折率が０．００１以上異なる微小層がスクリーン表面に対して所定の角度をなして略縞模様状に形成された微細構造を有したスクリーンを備えてなり、
前記微小層は、少なくとも２種類の周期または幅を有し、
前記微小層の少なくとも１種類の周期または幅Λ1 が
１０μｍ≦Λ1 ≦３００μｍ
の関係を満たす一方、他の少なくとも１種類の周期または幅Λ2 が
０．２μｍ≦Λ2 ≦４．０μｍ
の関係を満たすように構成されていることを特徴とするプロジェクション用スクリーン。
【請求項２】
主体部に対して屈折率が０．００１以上異なる微小層がスクリーン表面に対して所定の角度をなして略縞模様状に形成された微細構造を有したスクリーンを備えてなり、
前記スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ
の関係を満たす一方、他の少なくとも１つのピークの周期または幅Λ2 が
０．２μｍ≦Λ2 ≦２．０μｍ
の関係を満たすように構成されていることを特徴とするプロジェクション用スクリーン。
【請求項３】
前記フーリエスペクトル（絶対値）において、ピーク高さの最大値に対して３０％以上の高さを有するピークが、１／Λ1 から１／Λ2 の間において１／Λ1 ±０．０９７の範囲の間隔で現出するように構成されている請求項２に記載のプロジェクション用スクリーン。
【請求項４】
前記主体部と前記微小層の屈折率差を「Ｓ」とし、前記スクリーンの微小層が形成されている部分の厚さを「Ｔ」としたとき、
０．１μｍ≦Ｓ×Ｔ≦１５μｍ
の関係が成立する請求項１〜３のいずれか１項に記載のプロジェクション用スクリーン。
【請求項５】
前記主体部と前記微小層の屈折率差を「Ｓ」とし、前記スクリーンの微小層が形成されている部分の厚さを「Ｔ」としたとき、
０．２μｍ≦Ｓ×Ｔ≦４．０μｍ
の関係が成立する請求項１〜３のいずれか１項に記載のプロジェクション用スクリーン。
【請求項６】
少なくとも片面に凹凸が形成されたスクリーンを備えてなり、
前記凹凸の凸部の周期または幅Λ1 が
１０μｍ≦Λ1 ≦３００μｍ
の関係を満たす一方、前記凹凸の凸部の周期または幅Λ2 が
０．２μｍ≦Λ2 ≦４．０μｍ
の関係を満たすように構成されていることを特徴とするプロジェクション用スクリーン。
【請求項７】
少なくとも片面に凹凸が形成されたスクリーンを備えてなり、
前記凹凸の凹部の周期または幅Λ1 が
１０μｍ≦Λ1 ≦３００μｍ
の関係を満たす一方、前記凹凸の凹部の周期または幅Λ2 が
０．２μｍ≦Λ2 ≦４．０μｍ
の関係を満たすように構成されていることを特徴とするプロジェクション用スクリーン。
【請求項８】
少なくとも片面に凹凸が形成されたスクリーンを備えてなり、
前記スクリーンの凹凸分布（スクリーン表面の断面形状）をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ
の関係を満たす一方、他の少なくとも１つのピークの周期または幅Λ2 が
０．２μｍ≦Λ2 ≦２．０μｍ
の関係を満たすように構成されていることを特徴とするプロジェクション用スクリーン。
【請求項９】
前記フーリエスペクトル（絶対値）において、ピーク高さの最大値に対して３０％以上の高さを有するピークが、１／Λ1 から１／Λ2 の間において１／Λ1 ±０．０９７の範囲の間隔で現出するように構成されている請求項８に記載のプロジェクション用スクリーン。
【請求項１０】
前記凸部の高さまたは前記凹部の深さは０．３〜６μｍである請求項６〜９のいずれか１項に記載のプロジェクション用スクリーン。
【請求項１１】
光源と、
プロジェクション用原画像と、
プロジェクションレンズと、
請求項１〜１０のいずれか１項に記載のプロジェクション用スクリーンとを備えていることを特徴とするプロジェクションディスプレイ装置。
【請求項１２】
光源と、
液晶表示からなるプロジェクション用原画像と、
プロジェクションレンズと、
請求項１〜１０のいずれか１項に記載のプロジェクション用スクリーンと、
該プロジェクション用スクリーンと前記プロジェクション用原画像の間に配置されたλ／４位相差板とを備えていることを特徴とするプロジェクションディスプレイ装置。
【請求項１３】
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
移動状態にある前記膜状体に対して、該移動方向に対して略平行に配置された線状光源又は実質的に線状の光源からの光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【請求項１４】
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
移動状態にある前記膜状体に対して、点光源又は実質的に点光源からの光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【請求項１５】
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体に対して、位相シフトマスクまたは／および吸収型マスクを介して光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【請求項１６】
前記マスクとして、フレネルレンズ、フレネルゾーンプレート、マイクロレンズ及びレンチキュラーレンズからなる群より選ばれた少なくとも１つのマスクを用いる請求項１５に記載のプロジェクション用スクリーンの製造方法。
【請求項１７】
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体に対して、請求項６〜１０のいずれか１項に記載のスクリーンを介して光を露光する工程とを包含することを特徴とするプロジェクション用スクリーンの製造方法。
【請求項１８】
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体に対して、２光束干渉法または３以上の多光束干渉法を適用して光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【請求項１９】
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体の一方の面側に鏡面反射板を配置した状態で前記膜状体の他方の面側から前記膜状体に対して光を露光する工程とを包含することを特徴とするプロジェクション用スクリーンの製造方法。
【請求項２０】
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体の一方の面側に鏡面反射板を配置した状態で前記膜状体の他方の面側から前記膜状体に対して半透過鏡板を介して光を露光する工程とを包含することを特徴とするプロジェクション用スクリーンの製造方法。
【請求項２１】
光源と、
プロジェクション用原画像と、
プロジェクションレンズと、
請求項１３〜２０のいずれか１項に記載の製造方法により製造されたプロジェクション用スクリーンとを備えていることを特徴とするプロジェクションディスプレイ装置。
【請求項２２】
光源と、
液晶表示からなるプロジェクション用原画像と、
プロジェクションレンズと、
請求項１３〜２０のいずれか１項に記載の製造方法により製造されたプロジェクション用スクリーンと、
該プロジェクション用スクリーンと前記プロジェクション用原画像の間に配置されたλ／４位相差板とを備えていることを特徴とするプロジェクションディスプレイ装置。
【発明の詳細な説明】
【技術分野】
【０００１】
この発明は、映写画像にムラや明るさの不均一な部分がなく、明るく高画質の画像が得られるプロジェクション用スクリーンとこれを用いたプロジェクションディスプレイ装置に関する。
【０００２】
なお、この明細書において、「屈折率」の語は、５８８ｎｍの光（ｄ線）について測定された屈折率を意味するものである。
【背景技術】
【０００３】
従来、プロジェクションディスプレイ装置のスクリーンには、フレネルレンズ、レンチキュラーレンズ、マイクロレンズ、拡散板等を組み合わせたものが用いられている。
【０００４】
前記フレネルレンズ、レンチキュラーレンズ、マイクロレンズの材料としては、アクリル樹脂、ポリスチレン樹脂、ポリ塩化ビニル樹脂、ポリカーボネート樹脂等の透明な熱可塑性樹脂が用いられており、中でもアクリル樹脂が、透明性、硬度、耐久性、加工適性に優れることから広範に用いられている。前記拡散板としては、前記熱可塑性樹脂にシリカ、アルミナ、粘土、ガラスビーズ、樹脂ビーズ等の光拡散性物質を混合して光拡散性を付与したものが広範に用いられている。また、前記光拡散性物質を混合して拡散板の機能を持たせたレンチキュラーレンズまたはマイクロレンズも用いられている。
【０００５】
透過型プロジェクション用スクリーンにおいては、光拡散性能と光線透過性能の両方を備えていることが重要である。上述したような従来のプロジェクション用スクリーンの光拡散性を向上させることは可能であるが、この場合反射率が高くなるために前面へ透過する光量が減少してしまい、スクリーン画面が暗くなるという問題を有する。一方、スクリーン画面を明るくするために、全光線透過率を増大させようとすると、光拡散性が低下してスクリーン画面の解像度が悪くなる。このように上記従来のプロジェクション用スクリーンでは、優れた光拡散性能と優れた光線透過性能の両方を同時に満足させることは困難であった。更に、反射率が高くなると、外光の反射により映写画像のコントラストが低下するという問題もあった。
【０００６】
一方、反射型プロジェクション用スクリーンにおいては、高い反射率とその角度特性が重要である。このため直角プリズムを用いたコーナーキューブや球形の透明ビーズを表面に配置したものが用いられている。しかしながら、透明ビーズを用いたものでは、反射率の角度特性の制御が不十分であり、外光の影響も受けやすいという問題があった。またコーナーキューブを用いたものでは、外光の影響は受けがたいものの、実用観察角度範囲が狭いという問題があった。
【０００７】
これらの問題点を解決するものとして、屈折率に差のある少なくとも２種類の光重合可能なモノマーあるいはオリゴマーを有する組成物に２方向以上から光を照射することにより硬化してなる曇価に角度依存性のある光制御膜をプロジェクション用スクリーンに用いることが提案されている（特許文献１参照）。また、屈折率に差のある少なくとも２種類の光重合可能なモノマーまたはオリゴマーを有する組成物に光を照射して硬化させてなる曇価に角度依存性のある光制御膜を複数枚積層した構成のものを、プロジェクション用スクリーンに用いることが提案されている（特許文献２参照）。また、互いに屈折率が０．０１以上異なる熱硬化性樹脂と光硬化性樹脂の混合物からなる樹脂組成物をシート状に形成し、次いで熱硬化処理を施した後、光硬化処理を施して得られた光散乱シートが記載されている（特許文献３参照）。これら光制御膜や光散乱シートで構成されたプロジェクション用スクリーンは、光拡散性に優れ、かつ高い光線透過率を備えているので、明るく解像度の高い高画質の画像が得られるものとなる。
【０００８】
なお、本出願人は、先に、特定の光散乱特性を備えた光制御膜を複数枚積層してなるプロジェクション用スクリーンを特許出願している（特願２００４−１０３１８１）。
【特許文献１】特許第２８３８２９５号公報（請求項１）
【特許文献２】特開平４−７７７２８号公報（請求項１）
【特許文献３】特開２００２−２３６２０２号公報（請求項７）
【発明の開示】
【発明が解決しようとする課題】
【０００９】
しかしながら、前記特許文献１、２に記載のプロジェクション用スクリーンや、特許文献３に記載の光散乱シートでは、僅かではあるが、映写画像に僅かなムラや明るさの不均一な部分が現れるという問題があった。
【００１０】
また、有効観察角度範囲の調整、即ち入射角に対する高曇価の部分の拡がりの調整が難しいという問題もあった。
【００１１】
この発明は、かかる技術的背景に鑑みてなされたものであって、光拡散性能に優れかつ光線透過性能に優れて高画質で明るい画像が得られると共に、映写画像にムラや明るさの不均一な部分がなく、また外光の反射の影響が少なく映写画像のコントラストも良好であり、有効観察角度範囲の広いプロジェクション用スクリーン及びその製造方法並びに該スクリーンを用いたプロジェクションディスプレイ装置を提供することを目的とする。
【課題を解決するための手段】
【００１２】
前記目的を達成するために、本発明者は鋭意研究した結果、特許文献１、２のスクリーンや特許文献３の光散乱シートでは、図１８に示すように、入射角に対するヘイズ率（曇価）の曲線のピークが平坦にならず、ピークの中央部において窪みが生じており、このようにヘイズ率曲線のピークに窪みを生じた特性を有していることが、映写画像に僅かなムラや明るさの不均一な部分が現れる主な原因であることを突き止めた。しかして、ヘイズ率（曇価）曲線のピークが平坦になるような（ピークに窪みを生じない）構成を鋭意研究した結果、本発明を完成するに至った。即ち、本発明は以下の手段を提供する。
【００１３】
［１］主体部に対して屈折率が０．００１以上異なる微小層がスクリーン表面に対して所定の角度をなして略縞模様状に形成された微細構造を有したスクリーンを備えてなり、
前記微小層は、少なくとも２種類の周期または幅を有し、
前記微小層の少なくとも１種類の周期または幅Λ1 が
１０μｍ≦Λ1 ≦３００μｍ
の関係を満たす一方、他の少なくとも１種類の周期または幅Λ2 が
０．２μｍ≦Λ2 ≦４．０μｍ
の関係を満たすように構成されていることを特徴とするプロジェクション用スクリーン。
【００１４】
［２］主体部に対して屈折率が０．００１以上異なる微小層がスクリーン表面に対して所定の角度をなして略縞模様状に形成された微細構造を有したスクリーンを備えてなり、
前記スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ
の関係を満たす一方、他の少なくとも１つのピークの周期または幅Λ2 が
０．２μｍ≦Λ2 ≦２．０μｍ
の関係を満たすように構成されていることを特徴とするプロジェクション用スクリーン。
【００１５】
［３］前記フーリエスペクトル（絶対値）において、ピーク高さの最大値に対して３０％以上の高さを有するピークが、１／Λ1 から１／Λ2 の間において１／Λ1 ±０．０９７の範囲の間隔で現出するように構成されている前項２に記載のプロジェクション用スクリーン。
【００１６】
［４］前記主体部と前記微小層の屈折率差を「Ｓ」とし、前記スクリーンの微小層が形成されている部分の厚さを「Ｔ」としたとき、
０．１μｍ≦Ｓ×Ｔ≦１５μｍ
の関係が成立する前項１〜３のいずれか１項に記載のプロジェクション用スクリーン。
【００１７】
［５］前記主体部と前記微小層の屈折率差を「Ｓ」とし、前記スクリーンの微小層が形成されている部分の厚さを「Ｔ」としたとき、
０．２μｍ≦Ｓ×Ｔ≦４．０μｍ
の関係が成立する前項１〜３のいずれか１項に記載のプロジェクション用スクリーン。
【００１８】
［６］少なくとも片面に凹凸が形成されたスクリーンを備えてなり、
前記凹凸の凸部の周期または幅Λ1 が
１０μｍ≦Λ1 ≦３００μｍ
の関係を満たす一方、前記凹凸の凸部の周期または幅Λ2 が
０．２μｍ≦Λ2 ≦４．０μｍ
の関係を満たすように構成されていることを特徴とするプロジェクション用スクリーン。
【００１９】
［７］少なくとも片面に凹凸が形成されたスクリーンを備えてなり、
前記凹凸の凹部の周期または幅Λ1 が
１０μｍ≦Λ1 ≦３００μｍ
の関係を満たす一方、前記凹凸の凹部の周期または幅Λ2 が
０．２μｍ≦Λ2 ≦４．０μｍ
の関係を満たすように構成されていることを特徴とするプロジェクション用スクリーン。
【００２０】
［８］少なくとも片面に凹凸が形成されたスクリーンを備えてなり、
前記スクリーンの凹凸分布（スクリーン表面の断面形状）をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ
の関係を満たす一方、他の少なくとも１つのピークの周期または幅Λ2 が
０．２μｍ≦Λ2 ≦２．０μｍ
の関係を満たすように構成されていることを特徴とするプロジェクション用スクリーン。
【００２１】
［９］前記フーリエスペクトル（絶対値）において、ピーク高さの最大値に対して３０％以上の高さを有するピークが、１／Λ1 から１／Λ2 の間において１／Λ1 ±０．０９７の範囲の間隔で現出するように構成されている前項８に記載のプロジェクション用スクリーン。
【００２２】
［１０］前記凸部の高さまたは前記凹部の深さは０．３〜６μｍである前項６〜９のいずれか１項に記載のプロジェクション用スクリーン。
【００２３】
［１１］光源と、プロジェクション用原画像と、プロジェクションレンズと、前項１〜１０のいずれか１項に記載のプロジェクション用スクリーンとを備えていることを特徴とするプロジェクションディスプレイ装置。
【００２４】
［１２］光源と、液晶表示からなるプロジェクション用原画像と、プロジェクションレンズと、前項１〜１０のいずれか１項に記載のプロジェクション用スクリーンと、該プロジェクション用スクリーンと前記プロジェクション用原画像の間に配置されたλ／４位相差板とを備えていることを特徴とするプロジェクションディスプレイ装置。
【００２５】
［１３］相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
移動状態にある前記膜状体に対して、該移動方向に対して略平行に配置された線状光源又は実質的に線状の光源からの光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【００２６】
［１４］相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
移動状態にある前記膜状体に対して、点光源又は実質的に点光源からの光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【００２７】
［１５］相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体に対して、位相シフトマスクまたは／および吸収型マスクを介して光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【００２８】
［１６］前記マスクとして、フレネルレンズ、フレネルゾーンプレート、マイクロレンズ及びレンチキュラーレンズからなる群より選ばれた少なくとも１つのマスクを用いる前項１５に記載のプロジェクション用スクリーンの製造方法。
【００２９】
［１７］相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体に対して、前項６〜１０のいずれか１項に記載のスクリーンを介して光を露光する工程とを包含することを特徴とするプロジェクション用スクリーンの製造方法。
【００３０】
［１８］相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体に対して、２光束干渉法または３以上の多光束干渉法を適用して光を露光することによって、主体部に対して屈折率が０．００１以上異なる微小層がスクリーン表面に対して所定の角度をなして略縞模様状に形成された微細構造を有し、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が、１０μｍ≦Λ1 ≦３００μｍの関係を満たす一方、他の少なくとも１つのピークの周期または幅Λ2 が、０．２μｍ≦Λ2 ≦２．０μｍの関係を満たすスクリーンを得る工程とを包含することを特徴とするプロジェクション用スクリーンの製造方法。
【００３１】
［１９］相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体の一方の面側に鏡面反射板を配置した状態で前記膜状体の他方の面側から前記膜状体に対して光を露光する工程とを包含することを特徴とするプロジェクション用スクリーンの製造方法。
【００３２】
［２０］相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する工程と、
前記膜状体の一方の面側に鏡面反射板を配置した状態で前記膜状体の他方の面側から前記膜状体に対して半透過鏡板を介して光を露光する工程とを包含することを特徴とするプロジェクション用スクリーンの製造方法。
【００３３】
［２１］光源と、プロジェクション用原画像と、プロジェクションレンズと、前項１３〜２０のいずれか１項に記載の製造方法により製造されたプロジェクション用スクリーンとを備えていることを特徴とするプロジェクションディスプレイ装置。
【００３４】
［２２］光源と、液晶表示からなるプロジェクション用原画像と、プロジェクションレンズと、前項１３〜２０のいずれか１項に記載の製造方法により製造されたプロジェクション用スクリーンと、該プロジェクション用スクリーンと前記プロジェクション用原画像の間に配置されたλ／４位相差板とを備えていることを特徴とするプロジェクションディスプレイ装置。
【発明の効果】
【００３５】
［１］の発明では、主体部に対して屈折率が０．００１以上異なる微小層がスクリーン表面に対して所定の角度をなして略縞模様状に形成された微細構造を有しているから、光拡散性能に優れかつ光線透過性能に優れて解像度の良い高画質で明るい画像が得られる。また、微小層は少なくとも２種類の周期または幅を有し、微小層の少なくとも１種類の周期または幅Λ1 が
１０μｍ≦Λ1 ≦３００μｍ
の関係を満たす一方、他の少なくとも１種類の周期または幅Λ2 が
０．２μｍ≦Λ2 ≦４．０μｍ
の関係を満たすように構成されているから、ヘイズ率曲線のピークが平坦になり（ピークの中央部等に窪みを生じない）、これにより映写画像にムラや明るさの不均一な部分のない高品位な画像が得られるものとなる。また、外光の反射の影響が少なく映写画像のコントラストも良好であると共に、有効観察角度範囲も広い。
【００３６】
［２］の発明では、主体部に対して屈折率が０．００１以上異なる微小層がスクリーン表面に対して所定の角度をなして略縞模様状に形成された微細構造を有しているから、光拡散性能に優れかつ光線透過性能に優れて解像度の良い高画質で明るい画像が得られる。また、スクリーンの屈折率分布をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ
の関係を満たす一方、他の少なくとも１つのピークの周期または幅Λ2 が
０．２μｍ≦Λ2 ≦２．０μｍ
の関係を満たすように構成されているから、ヘイズ率曲線のピークが平坦になり（ピークの中央部等に窪みを生じない）、これにより映写画像にムラや明るさの不均一な部分のない高品位な画像が得られるものとなる。また、外光の反射の影響が少なく映写画像のコントラストも良好であると共に、有効観察角度範囲も広い。
【００３７】
［３］の発明では、フーリエスペクトル（絶対値）において、ピーク高さの最大値に対して３０％以上の高さを有するピークが、１／Λ1 から１／Λ2 の間において１／Λ1 （μｍ-1）±０．０９７（μｍ-1）の範囲の間隔で現出するように構成されているから、映写画像の均一性をさらに向上させることができる、即ち、ムラや明るさの不均一な部分がなく映写画像の均一性に特に優れたものとなる。なお、この［３］の発明は、前記ピークが、１／Λ1 から１／Λ2 の間において１／Λ1 ±０．０９７の範囲の間隔で現出した構成から１ないし複数本のピークが欠落したような構成も包含する、即ち、１／Λ1 から１／Λ2 の間において、一部のピークが１／Λ1 ±０．０９７の範囲外の間隔で現出する一方、他のピークが１／Λ1 ±０．０９７の範囲の間隔で現出した構成も包含する。
【００３８】
［４］の発明では、主体部と微小層の屈折率差を「Ｓ」とし、スクリーンの微小層が形成されている部分の厚さを「Ｔ」としたとき、０．１μｍ≦Ｓ×Ｔ≦１５μｍの関係が成立するように構成されているから、十分な光拡散性能を確保できると共に、スクリーンの法線方向に対して大きく斜めに傾斜した方向から入射する光に対しても高い回折効率を得ることができる。
【００３９】
［５］の発明では、主体部と微小層の屈折率差を「Ｓ」とし、スクリーンの微小層が形成されている部分の厚さを「Ｔ」としたとき、０．２μｍ≦Ｓ×Ｔ≦４．０μｍの関係が成立するように構成されているから、より十分な光拡散性能を確保できると共に、スクリーンの法線方向に対して大きく斜めに傾斜した方向から入射する光に対してもさらに高い回折効率を得ることができる。
【００４０】
［６］の発明では、少なくとも片面に凹凸が形成されたスクリーンを備えているから、光拡散性能に優れかつ光線透過性能に優れて解像度の良い高画質で明るい画像が得られる。また、凸部の周期または幅Λ1 が
１０μｍ≦Λ1 ≦３００μｍ
の関係を満たす一方、前記凸部の周期または幅Λ2 が
０．２μｍ≦Λ2 ≦４．０μｍ
の関係を満たすように構成されているから、ヘイズ率曲線のピークが平坦になり（ピークの中央部等に窪みを生じない）、これにより映写画像にムラや明るさの不均一な部分のない高品位な画像が得られるものとなる。また、外光の反射の影響が少なく映写画像のコントラストも良好であると共に、有効観察角度範囲も広い。
【００４１】
［７］の発明では、少なくとも片面に凹凸が形成されたスクリーンを備えているから、光拡散性能に優れかつ光線透過性能に優れて解像度の良い高画質で明るい画像が得られる。また、凹部の周期または幅Λ1 が
１０μｍ≦Λ1 ≦３００μｍ
の関係を満たす一方、前記凹部の周期または幅Λ2 が
０．２μｍ≦Λ2 ≦４．０μｍ
の関係を満たすように構成されているから、ヘイズ率曲線のピークが平坦になり（ピークの中央部等に窪みを生じない）、これにより映写画像にムラや明るさの不均一な部分のない高品位な画像が得られるものとなる。また、外光の反射の影響が少なく映写画像のコントラストも良好であると共に、有効観察角度範囲も広い。
【００４２】
［８］の発明では、少なくとも片面に凹凸が形成されたスクリーンを備えているから、光拡散性能に優れかつ光線透過性能に優れて解像度の良い高画質で明るい画像が得られる。また、スクリーンの凹凸分布（スクリーン表面の断面形状）をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ
の関係を満たす一方、他の少なくとも１つのピークの周期または幅Λ2 が
０．２μｍ≦Λ2 ≦２．０μｍ
の関係を満たすように構成されているから、ヘイズ率曲線のピークが平坦になり（ピークの中央部等に窪みを生じない）、これにより映写画像にムラや明るさの不均一な部分のない高品位な画像が得られるものとなる。また、外光の反射の影響が少なく映写画像のコントラストも良好であると共に、有効観察角度範囲も広い。
【００４３】
［９］の発明では、フーリエスペクトル（絶対値）において、ピーク高さの最大値に対して３０％以上の高さを有するピークが、１／Λ1 から１／Λ2 の間において１／Λ1 （μｍ-1）±０．０９７（μｍ-1）の範囲の間隔で現出するように構成されているから、映写画像の均一性をさらに向上させることができる、即ち、ムラや明るさの不均一な部分がなく映写画像の均一性に特に優れたものとなる。なお、この［９］の発明は、前記ピークが、１／Λ1 から１／Λ2 の間において１／Λ1 ±０．０９７の範囲の間隔で現出した構成から１ないし複数本のピークが欠落したような構成も包含する、即ち、１／Λ1 から１／Λ2 の間において、一部のピークが１／Λ1 ±０．０９７の範囲外の間隔で現出する一方、他のピークが１／Λ1 ±０．０９７の範囲の間隔で現出した構成も包含する。
【００４４】
［１０］の発明では、凸部の高さまたは凹部の深さは０．３〜６μｍに設定されているから、十分な光拡散性能を確保できると共に、製作が容易であるし、耐久性の良いスクリーンが得られる。
【００４５】
［１１］の発明（プロジェクションディスプレイ装置）では、スクリーンが光拡散性能に優れかつ光線透過性能に優れるので解像度の良い高画質で明るい画像が得られると共に、映写画像にムラや明るさの不均一な部分がなく、コントラストも良好な高品位の画像を得ることができる。
【００４６】
［１２］の発明（プロジェクションディスプレイ装置）では、スクリーンが光拡散性能に優れかつ光線透過性能に優れるので解像度の良い高画質で明るい画像が得られると共に、映写画像にムラや明るさの不均一な部分がなく、コントラストも良好な高品位の画像を得ることができる。更に、プロジェクション用スクリーンとプロジェクション用原画像の間にλ／４位相差板が配置されているから、映写画像の明るさの均一性をさらに向上させることができ、さらに高品位な画像を形成することができる。
【００４７】
［１３］［１４］の発明では、製造されたプロジェクション用スクリーンは、ヘイズ率曲線のピークが平坦になり（ピークの中央部等に窪みを生じない）、これにより映写画像にムラや明るさの不均一な部分のない高品位な画像が得られるものとなる。また、この製造方法によれば、スクリーンの断面視において、スクリーンの中央部では微小層はその長軸方向がスクリーンの法線方向に対して略平行状態に形成され、スクリーンの端縁部では微小層はその長軸方向がスクリーンの法線方向に対して大きく斜めに傾斜した状態に形成され、スクリーンの中央部から端縁部に向かって微小層はその長軸方向がスクリーンの法線方向に対して傾斜を徐々に大きくしていく状態に形成されるので、大型サイズのプロジェクション用スクリーンを製造するのに特に好適な製造方法である。
【００４８】
［１５］の発明では、製造されたプロジェクション用スクリーンは、ヘイズ率曲線のピークが平坦になり（ピークの中央部等に窪みを生じない）、これにより映写画像にムラや明るさの不均一な部分のない高品位な画像が得られるものとなる。また、この製造方法によれば、スクリーンの断面視において、スクリーンの中央部では微小層はその長軸方向がスクリーンの法線方向に対して略平行状態に形成され、スクリーンの端縁部では微小層はその長軸方向がスクリーンの法線方向に対して大きく斜めに傾斜した状態に形成され、スクリーンの中央部から端縁部に向かって微小層はその長軸方向がスクリーンの法線方向に対して傾斜を徐々に大きくしていく状態に形成されるので、大型サイズのプロジェクション用スクリーンを製造するのに特に好適な製造方法である。
【００４９】
［１６］の発明では、マスクとして、フレネルレンズ、フレネルゾーンプレート、マイクロレンズ及びレンチキュラーレンズからなる群より選ばれた少なくとも１つのマスクを用いるから、得られるプロジェクション用スクリーンにフレネルレンズ、フレネルゾーンプレート、マイクロレンズ、レンチキュラーレンズの機能を具備させることができ、このように機能の複合化が可能となる利点がある。
【００５０】
［１７］の発明では、［１］〜［５］の発明に係るプロジェクション用スクリーンを容易に製造することが可能となり、製造されたプロジェクション用スクリーンは、ヘイズ率曲線のピークが平坦になり（ピークの中央部等に窪みを生じない）、これにより映写画像にムラや明るさの不均一な部分のない高品位な画像が得られるものとなる。また、マスクとして用いたレリーフ型のスクリーンよりも映写画像のムラが一層少なくなる場合がある。また、この製造方法によれば、スクリーンの断面視において、スクリーンの中央部では微小層はその長軸方向がスクリーンの法線方向に対して略平行状態に形成され、スクリーンの端縁部では微小層はその長軸方向がスクリーンの法線方向に対して大きく斜めに傾斜した状態に形成され、スクリーンの中央部から端縁部に向かって微小層はその長軸方向がスクリーンの法線方向に対して傾斜を徐々に大きくしていく状態に形成されるので、大型サイズのプロジェクション用スクリーンを製造するのに特に好適な製造方法である。
【００５１】
［１８］の発明では、製造されたプロジェクション用スクリーンは、ヘイズ率曲線のピークが平坦になり（ピークの中央部等に窪みを生じない）、これにより映写画像にムラや明るさの不均一な部分のない高品位な画像が得られるものとなる。
【００５２】
［１９］の発明では、［１］〜［５］の発明に係るプロジェクション用スクリーンを容易に製造することが可能となり、製造されたプロジェクション用スクリーンは、ヘイズ率曲線のピークが平坦になり（ピークの中央部等に窪みを生じない）、これにより映写画像にムラや明るさの不均一な部分のない高品位な画像が得られるものとなる。また、この製造方法によれば、スクリーンの中央部から端縁部に至るまで微小層はその長軸方向がスクリーンの法線に対して平行な状態に形成されるものとなる。微小層の太さと間隔は、照射光の入射角度の設定により調整することができる。
【００５３】
［２０］の発明では、［１］〜［５］の発明に係るプロジェクション用スクリーンを容易に製造することが可能となり、製造されたプロジェクション用スクリーンは、ヘイズ率曲線のピークが平坦になり（ピークの中央部等に窪みを生じない）、これにより映写画像にムラや明るさの不均一な部分のない高品位な画像が得られるものとなる。また、この製造方法によれば、スクリーンの中央部から端縁部に至るまで微小層はその長軸方向がスクリーンの法線に対して平行な状態に形成されるものとなる。微小層の太さと間隔は、照射光の入射角度の設定により調整することができる。更に、膜状体に対して半透過鏡板を介して光を照射するので、即ち多重反射を利用するので、屈折率変化を急峻にすることが可能となる。なお、屈折率変化の急峻性はΛ2 を小さくすることに寄与する。
【００５４】
［２１］の発明（プロジェクションディスプレイ装置）では、スクリーンが光拡散性能に優れかつ光線透過性能に優れるので解像度の良い高画質で明るい画像が得られると共に、映写画像にムラや明るさの不均一な部分がなく、コントラストも良好な高品位の画像を得ることができる。
【００５５】
［２２］の発明（プロジェクションディスプレイ装置）では、スクリーンが光拡散性能に優れかつ光線透過性能に優れるので解像度の良い高画質で明るい画像が得られると共に、映写画像にムラや明るさの不均一な部分がなく、コントラストも良好な高品位の画像を得ることができる。更に、プロジェクション用スクリーンとプロジェクション用原画像の間にλ／４位相差板が配置されているから、映写画像の明るさの均一性をさらに向上させることができ、さらに高品位な画像を形成することができる。
【発明を実施するための最良の形態】
【００５６】
図１は、第１発明のプロジェクション用スクリーン（１）を透過型スクリーンとして用いて構成されたプロジェクションディスプレイ装置（２０）の模式的構成図である。
【００５７】
このプロジェクションディスプレイ装置（２０）は、光源（２）と、プロジェクション用スクリーン（１）と、前記光源（２）と前記スクリーン（１）の間に配置されたプロジェクション用原画像（３）と、該原画像（３）と前記スクリーン（１）の間に配置されたプロジェクションレンズ（４）とを備えている。
【００５８】
前記プロジェクション用スクリーン（１）は、主体部（１１）に対して屈折率が０．００１以上異なる微小層（１２）がスクリーン表面に対して角度をなして（即ちスクリーン表面に対して非平行状態）縞模様状に形成された微細構造を有したスクリーンを備えている。本実施形態では、図１に示すように、スクリーン（１）の断面視において、主体部（１１）に対して屈折率が０．００１以上異なる微小層（１２）が多数相互に平行状に配列された微細構造を呈しているが、このような主体部（１１）も断面観察においては相互に平行状に配列された微小層（１１）を形成していると捉えることもできる。なお、スクリーンの両面には透明支持板（図示しない）が積層一体化されている。
【００５９】
前記プロジェクション用スクリーン（１）の模式的拡大平面図を図２に示す。平面視において、前記主体部（１１）に対して屈折率が０．００１以上異なる微小層（１２）が上下方向と左右方向に延ばされて配列された微細構造を有している。
【００６０】
また、前記プロジェクション用スクリーン（１）では、前記微小層（１２）は少なくとも２種類の周期または幅を有し、前記微小層の少なくとも１種類の周期または幅Λ1 が
１０μｍ≦Λ1 ≦３００μｍ    …＜式１＞
の関係を満たす一方、他の少なくとも１種類の周期または幅Λ2 が
０．２μｍ≦Λ2 ≦４．０μｍ    …＜式２＞
の関係を満たすように構成されている。
【００６１】
前記プロジェクション用スクリーン（１）のＡ−Ａ断面（図２参照）の屈折率分布を図３（イ）に示す。図３（イ）の縦軸は屈折率差であり、横軸は長さ（Ａ−Ａ線方向の距離）である。微小層（１２）の屈折率は、主体部（微小層）（１１）の屈折率よりも０．００１以上大きい。この図３（イ）から、このプロジェクション用スクリーン（１）における微小層（１２）のΛ1 （周期）が２０μｍであることがわかる。
【００６２】
図３（ロ）は、図３（イ）の拡大図である。この図３（ロ）から、このプロジェクション用スクリーン（１）における微小層（１２）のΛ2 （半値幅）が１．０μｍであり、＜式２＞の範囲（０．２〜４．０μｍ）に入っていることがわかる。
【００６３】
本実施形態に係るプロジェクションディスプレイ装置（２０）では、前記プロジェクション用原画像（３）から出た光は、前記プロジェクションレンズ（４）によって前記プロジェクション用スクリーン（１）に投影される。この時、前記プロジェクション用スクリーン（１）に投影された光は、所定の角度範囲（２θ）内に効率的に拡散されるのであるが、前記プロジェクション用スクリーン（１）は、主体部（１１）に対して屈折率が０．００１以上異なる微小層（１２）がスクリーン表面に対して所定の角度をなして略縞模様状に形成された微細構造を有しているから、光拡散性能に優れかつ光線透過性能に優れており、従って有効観察角度範囲（２θ）内の観察者は、解像度の良い高画質で明るい画像を見ることができる。
【００６４】
また、前記微小層（１２）は、少なくとも２種類の周期または幅を有し、前記微小層（１２）の少なくとも１種類の周期または幅Λ1 が
１０μｍ≦Λ1 ≦３００μｍ    …＜式１＞
の関係を満たす一方、他の少なくとも１種類の周期または幅Λ2 が
０．２μｍ≦Λ2 ≦４．０μｍ    …＜式２＞
の関係を満たすように構成されているから、図４に示すように、ヘイズ率曲線のピークが平坦になり（ピークの中央部等に窪みを生じない）、これにより映写画像にムラや明るさの不均一な部分のない高品位な画像が得られるものとなる。なお、前記＜式１＞を満たさない場合には投影画像に縞模様などのムラが現れるという問題が生じる。また、＜式２＞を満たさない場合には有効観察範囲が狭くなりスクリーンの周辺部（端縁部）が暗くなるという問題が生じる。
【００６５】
なお、前記Λ1 、Λ2 について「周期または幅」と規定したのは、図１７に示したスクリーンの屈折率分布の概念図からも理解できるように、屈折率分布グラフの見方を変えれば「周期」と捉えることもできれば「幅」と捉えることもできるからである。この点については次の第２発明においても同様である。
【００６６】
更に、本実施形態では、次のような構成も具備している。即ち、前記スクリーン（１）の屈折率分布をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ    …＜式３＞
の関係を満たす一方、他の少なくとも１つのピークの周期または幅Λ2 が
０．２μｍ≦Λ2 ≦２．０μｍ    …＜式４＞
の関係を満たすように構成されている。
【００６７】
図３（ハ）は、図３（イ）のグラフを０．０９８μｍ間隔で１００μｍの範囲にわたって読み取った１０２４点の数値を用いてフーリエ変換を行って得られたフーリエスペクトルの絶対値（得られたフーリエスペクトルとその複素共役スペクトルとの積）を示すグラフである。この図３（ハ）の横軸は、屈折率差のある微小層の周期または幅をΛ（μｍ）としたとき、１／Λ（μｍ-1）である。またこの図３（ハ）の縦軸は、フーリエスペクトルの絶対値（強度）である。縦軸は、左から２番目のピークの強度が１．０になるように正規化してある。１／Λ＝０のピーク（最左端のピーク）は無視するものとする。
【００６８】
この図３（ハ）から、１／Λ1 ＝０．０５のピーク（左から２番目のピーク）（ピーク高さの最大値に対して１００％の高さを有するピーク）に関し、１／Λ1 ＝０．０５よりΛ1 ＝２０μｍであり、前記＜式３＞を満たしていることがわかる。更に、１／Λ1 ＝０．１のピーク（左から３番目のピーク）（ピーク高さの最大値に対して９８％の高さを有するピーク）に関し、１／Λ1 ＝０．１よりΛ1 ＝１０μｍであり、前記＜式３＞を満たしていることがわかる。このように、本実施形態では、前記スクリーン（１）の屈折率分布をフーリエ変換して得たフーリエスペクトル（絶対値）において、ピーク高さの最大値に対して３０％以上の高さを有するピークのうち、２つのピークの周期（または幅）Λ1 が前記＜式３＞の関係を満たしている、即ち少なくとも１つのピークの周期（または幅）Λ1 が前記＜式３＞の関係を満たしている。
【００６９】
一方、１／Λ2 ＝０．５のピーク（左から１１番目のピーク）（ピーク高さの最大値に対して４６％の高さを有するピーク）に関し、１／Λ2 ＝０．５よりΛ2 ＝２μｍであり、前記＜式４＞を満たしていることがわかる。更に、１／Λ2 ＝０．５５のピーク（左から１２番目のピーク）（ピーク高さの最大値に対して４０％の高さを有するピーク）に関し、１／Λ2 ＝０．５５よりΛ2 ＝１．８２μｍであり、前記＜式４＞を満たしていることがわかる。更に、１／Λ2 ＝０．６のピーク（左から１３番目のピーク）（ピーク高さの最大値に対して３３％の高さを有するピーク）に関し、１／Λ2 ＝０．６よりΛ2 ＝１．６７μｍであり、前記＜式４＞を満たしていることがわかる。このように、本実施形態では、前記スクリーン（１）の屈折率分布をフーリエ変換して得たフーリエスペクトル（絶対値）において、ピーク高さの最大値に対して３０％以上の高さを有するピークのうち、３つのピークの周期Λ2 が前記＜式４＞の関係を満たしている、即ち少なくとも１つのピークの周期Λ2 が前記＜式４＞の関係を満たしている。
【００７０】
また、本実施形態では、前記フーリエスペクトル（絶対値）において、ピーク高さの最大値に対して３０％以上の高さを有するピークが、１／Λ1 から１／Λ2 の間において１／Λ1 ±０．０９７の略均等間隔で現出するように構成されている。即ち、１／Λ1 から１／Λ2 の間において（１／Λ1 −０．０９７）〜（１／Λ1 ＋０．０９７）の範囲の間隔で現出するように構成されている。
【００７１】
本実施形態では、前記プロジェクション用スクリーン（１）のＢ−Ｂ断面（図２参照）の屈折率分布及びそのフーリエスペクトルの絶対値についても、前記Ａ−Ａ断面（図２参照）の屈折率分布及びフーリエスペクトルの絶対値に関して説明したのと同様の関係を充足している。即ち、前記スクリーン（１）のＢ−Ｂ断面（図２参照）での屈折率分布をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ    …＜式３＞
の関係を満たす一方、他の少なくとも１つのピークの周期または幅Λ2 が
０．２μｍ≦Λ2 ≦２．０μｍ    …＜式４＞
の関係を満たしている。
【００７２】
このように、本実施形態では、前記スクリーン（１）の屈折率分布をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ    …＜式３＞
の関係を満たす一方、他の少なくとも１つのピークの周期または幅Λ2 が
０．２μｍ≦Λ2 ≦２．０μｍ    …＜式４＞
の関係を満たすように構成されているから、図４に示すように、ヘイズ率曲線のピークが平坦になり（ピークの中央部等に窪みを生じない）、これにより映写画像にムラや明るさの不均一な部分のない高品位な画像が得られるものとなる。なお、スクリーン（１）の屈折率分布をフーリエ変換して得たフーリエスペクトル（絶対値）において、前記＜式３＞を満たすピークがない場合には、投影画像に縞模様などのムラが現れるという問題が生じる。また、前記＜式４＞を満たすピークがない場合には、有効観察範囲が狭くなりスクリーンの周辺部（端縁部）が暗くなるという問題が生じる。
【００７３】
更に、前記プロジェクション用スクリーン（１）は光散乱性が殆どないため、外光がスクリーン（１）に入射しても殆ど透過し、観察者の方へ反射される光が少ないため、外光の影響を受け難く、映写画像のコントラストも良好である。
【００７４】
前記フーリエ変換では、Λ1 を完全に含む長さの２倍以上の範囲で、サンプリング間隔がΛ2 の１／２以下であることが必要である。Λ1 の見当をつけられない場合には、サンプリング範囲を６００μｍとする。Λ2 の見当をつけられない場合には、サンプリング間隔を０．５μｍとして読み取ったデータをフーリエ変換し、周期または幅が０．２〜２．０μｍの範囲内でピーク高さの最大値に対して３０％以上の高さを有するピークが存在するか否か（＜式４＞の関係を満たすピークが存在するか否か）を調べる。条件に合うΛ2 が存在しなかった場合には、サンプリング間隔を０．１μｍとして前記同様に再計算する。勿論、はじめからサンプリング間隔を０．１μｍとして計算しても良い。通常、高速フーリエ変換（ＦＦＴ）を用いるから、データ点数は２の整数べき乗であることが必要である。図３の例では、データの読み取り範囲１００μｍで十分であり、サンプリング間隔は０．０９８μｍつまり本発明で必要な最密のサンプリング間隔としている。
【００７５】
なお、前記プロジェクション用スクリーン（１）の屈折率分布は、スクリーン（１）の断面をフィールドエミッション型の走査型電子顕微鏡で撮影した画像を解析することにより得られた屈折率分布データである。前記フィールドエミッション型の走査型電子顕微鏡は屈折率変化の可視化に適している。屈折率分布の縞の形状又は屈折率が、スクリーン（１）の厚み方向で変化している場合（図８参照）には、厚み方向の平均値または積算値をフーリエ変換する。また、屈折率分布の縞が傾いている場合（図６、７参照）には、縞に直角方向の軸に沿ってフーリエ変換する。前記フィールドエミッション型の走査型電子顕微鏡で撮影したプロジェクション用スクリーン（１）の屈折率分布は、撮影画像のコントラストの影響を受けるが、撮影画像のトータルガンマ値が０．８〜１．３の範囲であれば良い。撮影画像のトータルガンマ値が１．３より大きくなると、前記フーリエ変換で求められるΛ2 の値が小さく計算される傾向があるからである。
【００７６】
前記Λ1 は、プロジェクションレンズ（４）の出射瞳径や、該レンズ（４）とプロジェクション用スクリーン（１）との距離により調整されるのが良い。前記プロジェクションレンズ（４）の出射瞳径が大きい場合にはΛ1 は前記規定範囲の中で小さく設定するのが好ましく、またレンズ（４）とプロジェクション用スクリーン（１）との距離が長い場合にはΛ1 は前記規定範囲の中で大きく設定するのが好ましい。また、前記Λ1 は、投影画像の有効観察角度範囲（２θ）とも関係性があり、この有効観察角度範囲を広くする場合にはΛ1 は前記規定範囲の中で小さく設定するか又は前記規定範囲の中で大きさの異なる複数のΛ1 を設計するのが好ましい。プロジェクション用スクリーン（１）からプロジェクションレンズ（４）の出射瞳を見込む角（出射瞳を見た際の拡がり角度）を２・（θｐ）としたとき、０．６／ｓｉｎ（θｐ）  μｍがΛ1 の目安となる。
【００７７】
一方、前記Λ2 は、有効観察角度範囲（２θ）の広がりに関係を有し、Λ2 を前記規定範囲の中で小さくすると有効観察角度範囲は広くなる。Λ2 を小さくして有効観察角度範囲を広くすると、広い観察範囲内に光りが分配されて投影画像が暗くなるので、目的、用途等に応じて必要最小限の有効観察角度範囲が得られるΛ2 を選ぶのが好ましい。
【００７８】
前記プロジェクションディスプレイ装置（２０）において、前記プロジェクション用スクリーン（１）の光源側にフレネルレンズ（６）を配置した構成を採用することもできる（図５参照）。また、図５に示すように、前記プロジェクション用スクリーン（１）と前記プロジェクション用原画像（３）の間にλ／４位相差板（５）を配置した構成を採用しても良く、この場合には映写画像の明るさの均一性をさらに向上させることができる利点がある。
【００７９】
図６は、他の実施形態に係る第１発明のプロジェクション用スクリーン（１）を透過型スクリーンとして用いて構成されたプロジェクションディスプレイ装置（２０）の模式的構成図である。このプロジェクションディスプレイ装置（２０）も、前記同様に、光源（２）と、プロジェクション用スクリーン（１）と、前記光源（２）と前記スクリーン（１）の間に配置されたプロジェクション用原画像（３）と、該原画像（３）と前記スクリーン（１）の間に配置されたプロジェクションレンズ（４）とを備えている。
【００８０】
この図６で用いたプロジェクション用スクリーン（１）は、主体部（１１）に対して屈折率が０．００１以上異なる微小層（１２）がスクリーン表面に対して所定の角度をなして略縞模様状に形成された微細構造を有したスクリーンを備えており、スクリーン（１）の断面視において、スクリーン（１）の中央部では微小層（１２）はその長軸方向がスクリーン（１）の法線方向に対して略平行状態に形成され、スクリーン（１）の端縁部では微小層（１２）はその長軸方向がスクリーン（１）の法線方向に対して大きく斜めに傾斜した状態に形成され、スクリーン（１）の中央部から端縁部に向かって微小層（１２）はその長軸方向がスクリーン（１）の法線方向に対して傾斜を徐々に大きくしていく状態に形成された構成が採用されている点を除いて、その他の構成は前記図１で用いたプロジェクション用スクリーンと同様である。本構成は、大型サイズのプロジェクション用スクリーンとして好適である。なお、前記スクリーン（１）表面に対する前記微小層（縞）（１２）の角度φは、
φ＝９０＋（θｑ）／４
を目安に設定するのが好ましい。前記θｑは、
ｓｉｎ（θｑ）＝ｓｉｎ（θｐｐ）／ｎ
（ｎは、スクリーンの平均屈折率である）
で求められる値である。
【００８１】
図７は、更に他の実施形態に係る第１発明のプロジェクション用スクリーン（１）を反射型スクリーンとして用いて構成されたプロジェクションディスプレイ装置（２０）の模式的構成図である。
【００８２】
このプロジェクションディスプレイ装置（２０）は、光源（２）と、プロジェクション用スクリーン（１）と、前記光源（２）と前記スクリーン（１）の間に配置されたプロジェクション用原画像（３）と、該原画像（３）と前記スクリーン（１）の間に配置されたプロジェクションレンズ（４）と、前記スクリーン（１）の背面側（光源側と反対側）に配置された反射板（７）とを備えている。
【００８３】
反射型の場合には、スクリーン（１）の真正面から投影されることは少なく、スクリーン（１）の正面側の上方または下方（図７参照）から投影されるのが一般的である。例えば、下方から投影する場合に、反射面が平滑面である反射板（７）に代えて、表面が複数の下向きに傾いた傾斜面で構成された反射板（７Ｂ）を配置しても良い（図７参照）。
【００８４】
この図７で用いたプロジェクション用スクリーン（１）は、微小層（縞）（１２）がスクリーン（１）の法線方向に対して所定角度傾斜した構成が採用されている点を除いて、その他の構成は前記図１で用いたプロジェクション用スクリーンと同様である。
【００８５】
この図７のプロジェクション用スクリーン（１）では、微小層（縞）（１２）がスクリーン（１）の法線方向に対して（θｃ）°上方側に傾斜しているので、有効観察角度範囲の中心位置（観察方向の中心）がスクリーン（１）の法線方向に対して（θｃ）°上方側に傾斜したものとなっている。
【００８６】
この発明では、前記主体部（１１）と前記微小層（１２）の屈折率の差を「Ｓ」とし、前記スクリーンの微小層（１２）が形成されている部分の厚さを「Ｔ」としたとき、
０．１μｍ≦Ｓ×Ｔ≦１５μｍ
の関係が成立するように構成されるのが好ましい。この範囲を逸脱すると、十分な光拡散性能を確保するのが困難になるので好ましくない。中でも、
０．２μｍ≦Ｓ×Ｔ≦４．０μｍ
の関係が成立するように構成されるのがより好ましい。
【００８７】
前記微小層（１２）は、主体部（１１）に対して屈折率が０．００１以上異なるものであれば、図１に示す構成のように相互に屈折率が同一（図３（イ）参照）であっても良いし、或いは相互に屈折率を異にする２種類以上の微小層が縞模様状に配置された構成が採用されていても良い。例えば、後者の例である図８（ハ）に示す実施形態では、微小層（１２）は、主体部（１１）に対して屈折率が０．００１以上異なると共に、３つの微小層（１２Ａ）（１２Ｂ）（１２Ｃ）は相互に屈折率を異にする。即ち、
｜ｎ1 −ｎk ｜≧０．００１    （ｋ＝２、３、４）
ｎ2 ≠ｎ3 ≠ｎ4
の関係が成り立つ。また、図８（イ）に示すように、前記微小層（１２）は、主体部（１１）に対して屈折率が０．００１以上異なるものであれば、微小層（縞）（１２）の長さ方向に沿って屈折率が変化する（ｎ5 〜ｎ6 〜ｎ7 ）ように構成されていても良い。すなわち、
｜ｎ1 −ｎk ｜≧０．００１    （ｋ＝５、６、７）
ｎ5 ≠ｎ6 ≠ｎ7
の関係が成り立つ構成が採用されても良い。
【００８８】
また、図１〜３に示した実施形態では、微小層（縞）（１２）の方が、主体部（１１）よりも屈折率が０．００１以上大きい構成が採用されているが、例えば微小層（縞）（１２）の方が、主体部（１１）よりも屈折率が０．００１以上小さい構成が採用されても良く、この場合にも前記と同様の効果を享受できる。
【００８９】
上記実施形態では、主体部（１１）と微小層（１２）の屈折率差は、０．００１以上に設定されているが、この屈折率差は０．０１以上とするのが好ましく、特に好ましいのは屈折率差０．０１〜０．０４である。
【００９０】
上記実施形態では、平面視において主体部（１１）に対して屈折率が０．００１以上異なる微小層（縞）（１２）が上下方向と左右方向に延ばされて配列された微細構造（図２参照）が採用されているが、特にこのような構成に限定されるものではなく、例えば、図９（イ）に示すように前記屈折率が０．００１以上異なる微小層（縞）（１２）が多重円形状に配置された微細構造が採用されても良いし、図９（ロ）に示すように前記屈折率が０．００１以上異なる微小層（縞）（１２）が多重円形状に配置された部分が多数集合した構成が採用されても良いし、或いは図９（ハ）に示すように前記屈折率が０．００１以上異なる微小層（縞）（１２）が、上下方向、左右方向、左上と右下を結ぶ斜め方向および右上と左下を結ぶ斜め方向に延ばされて配列された微細構造が採用されても良い。図９（イ）（ロ）（ハ）に示す平面視微細構造が採用された場合には、上下方向、左右方向、斜め方向を含めてほぼ全ての方向において十分な回折強度が得られるものとなる。
【００９１】
また、前記微小層（縞）（１２）の形状は、スクリーン（１）の厚さ方向に変化していても良いし（図８（イ）（ロ）参照）、或いは変化しないものであっても良い（図１、５、６、７参照）。前記微小層（縞）（１２）の形状がスクリーン（１）の厚さ方向に変化する場合に、その変化は厚さ方向に一定であっても良いし、一定ではなく変化するものであっても良い。また、前記微小層（縞）は、厚さ方向に不連続な部分があっても良い。
【００９２】
図１０は、第２発明のプロジェクション用スクリーン（１）を透過型スクリーンとして用いて構成されたプロジェクションディスプレイ装置（２０）の模式的構成図である。
【００９３】
このプロジェクションディスプレイ装置（２０）は、光源（２）と、プロジェクション用スクリーン（１）と、前記光源（２）と前記スクリーン（１）の間に配置されたプロジェクション用原画像（３）と、該原画像（３）と前記スクリーン（１）の間に配置されたプロジェクションレンズ（４）とを備えている。
【００９４】
前記プロジェクション用スクリーン（１）は、片面に凹凸が形成されたスクリーンを備えている。即ち、片面の平坦面に凸部（１５）…が形成されたスクリーンを備えている。本実施形態では、片面のみに凹凸が形成されているが、両面に凹凸が形成されていても良い。また、本実施形態では、スクリーンの凹凸が形成された側が、観察者側になるように配置されているが、これに代えて光源（２）側になるように配置された構成を採用しても良い。
【００９５】
前記凹凸の凸部（１５）の周期または幅Λ1 が
１０μｍ≦Λ1 ≦３００μｍ    …＜式１＞
の関係を満たす一方、前記凹凸の凸部（１５）の周期または幅Λ2 が
０．２μｍ≦Λ2 ≦４．０μｍ    …＜式２＞
の関係を満たすように構成されている。
【００９６】
前記プロジェクション用スクリーン（１）の断面の凹凸分布（スクリーン表面の断面形状）を図１１（イ）に示す。図１１（イ）の縦軸は凸部（１５）の高さであり、横軸は長さ（水平距離）である。この図１１（イ）から、このプロジェクション用スクリーン（１）における凸部（１５）のΛ1 （周期）が２０μｍであり、＜式１＞の範囲（１０〜３００μｍ）に入っていることがわかる。
【００９７】
図１１（ロ）は、図１１（イ）の拡大図である。この図１１（ロ）から、このプロジェクション用スクリーン（１）における凸部（１５）のΛ2 （半値幅）が１．２μｍであり、＜式２＞の範囲（０．２〜４．０μｍ）に入っていることがわかる。
【００９８】
図１０に示す実施形態に係るプロジェクションディスプレイ装置（２０）では、前記プロジェクション用原画像（３）から出た光は、前記プロジェクションレンズ（４）によって前記プロジェクション用スクリーン（１）に投影される。この時、前記プロジェクション用スクリーン（１）に投影された光は、所定の角度範囲（２θ）内に効率的に拡散されるのであるが、前記プロジェクション用スクリーン（１）は、少なくとも片面に凹凸が形成されたスクリーンを備えているから、光拡散性能に優れかつ光線透過性能に優れており、従って有効観察角度範囲（２θ）内の観察者は、解像度の良い高画質で明るい画像を見ることができる。
【００９９】
また、前記凸部（１５）の周期または幅Λ1 が
１０μｍ≦Λ1 ≦３００μｍ    …＜式１＞
の関係を満たす一方、前記凸部（１５）の周期または幅Λ2 が
０．２μｍ≦Λ2 ≦４．０μｍ    …＜式２＞
の関係を満たすように構成されているから、ヘイズ率曲線のピークが平坦になり（ピークの中央部等に窪みを生じない）、これにより映写画像にムラや明るさの不均一な部分のない高品位な画像が得られるものとなる。なお、前記＜式１＞を満たさない場合には投影画像に縞模様などのムラが現れるという問題が生じる。また、＜式２＞を満たさない場合には有効観察範囲が狭くなりスクリーンの周辺部（端縁部）が暗くなるという問題が生じる。
【０１００】
更に、本実施形態では、次のような構成も具備している。即ち、前記スクリーン（１）の凹凸分布（スクリーン表面の断面形状）をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ    …＜式３＞
の関係を満たす一方、他の少なくとも１つのピークの周期または幅Λ2 が
０．２μｍ≦Λ2 ≦２．０μｍ    …＜式４＞
の関係を満たすように構成されている。
【０１０１】
図１１（ハ）は、図１１（イ）のグラフ（断面形状）を０．０９８μｍ間隔で１００μｍの範囲にわたって読み取った１０２４点の数値を用いてフーリエ変換を行って得られたフーリエスペクトルの絶対値（得られたフーリエスペクトルとその複素共役スペクトルとの積）を示すグラフである。この図１１（ハ）の横軸は、凸部（１５）の周期または幅をΛ（μｍ）としたとき、１／Λ（１／μｍ）である。またこの図１１（ハ）の縦軸は、フーリエスペクトルの絶対値（強度）である。縦軸は左から２番目のピークの強度が１．０になるように正規化してある。１／Λ＝０のピーク（最左端のピーク）は無視するものとする。
【０１０２】
この図１１（ハ）から、１／Λ1 ＝０．０５のピーク（左から２番目のピーク）（ピーク高さの最大値に対して１００％の高さを有するピーク）に関し、１／Λ1 ＝０．０５よりΛ1 ＝２０μｍであり、前記＜式３＞を満たしていることがわかる。更に、１／Λ1 ＝０．１のピーク（左から３番目のピーク）（ピーク高さの最大値に対して９８％の高さを有するピーク）に関し、１／Λ1 ＝０．１よりΛ1 ＝１０μｍであり、前記＜式３＞を満たしていることがわかる。このように、本実施形態では、前記スクリーン（１）の凹凸分布をフーリエ変換して得たフーリエスペクトル（絶対値）において、ピーク高さの最大値に対して３０％以上の高さを有するピークのうち、２つのピークの周期（または幅）Λ1 が前記＜式３＞の関係を満たしている、即ち少なくとも１つのピークの周期（または幅）Λ1 が前記＜式３＞の関係を満たしている。
【０１０３】
一方、１／Λ2 ＝０．５のピーク（左から１１番目のピーク）（ピーク高さの最大値に対して４１％の高さを有するピーク）に関し、１／Λ2 ＝０．５よりΛ2 ＝２μｍであり、前記＜式４＞を満たしていることがわかる。更に、１／Λ2 ＝０．５５のピーク（左から１２番目のピーク）（ピーク高さの最大値に対して３３％の高さを有するピーク）に関し、１／Λ2 ＝０．５５よりΛ2 ＝１．８２μｍであり、前記＜式４＞を満たしていることがわかる。このように、本実施形態では、前記スクリーン（１）の凹凸分布をフーリエ変換して得たフーリエスペクトル（絶対値）において、ピーク高さの最大値に対して３０％以上の高さを有するピークのうち、２つのピークの周期（または幅）Λ2 が前記＜式４＞の関係を満たしている、即ち少なくとも１つのピークの周期Λ2 が前記＜式４＞の関係を満たしている。
【０１０４】
また、本実施形態では、前記フーリエスペクトル（絶対値）において、ピーク高さの最大値に対して３０％以上の高さを有するピークが、１／Λ1 から１／Λ2 の間において１／Λ1 ±０．０９７の略均等間隔で現出するように構成されている。即ち、１／Λ1 から１／Λ2 の間において（１／Λ1 −０．０９７）〜（１／Λ1 ＋０．０９７）の範囲の間隔で現出するように構成されている。
【０１０５】
この第２発明においても、フーリエ変換の変換形式等については前述した変換形式（第１発明における変換形成）と同様である。
【０１０６】
なお、前記プロジェクション用スクリーン（１）の凹凸分布（スクリーン表面の断面形状）は、スクリーン（１）の断面をフィールドエミッション型の走査型電子顕微鏡で撮影した画像を解析することにより得られた凸部分布データである。
【０１０７】
本実施形態では、前記スクリーン（１）の凹凸分布をフーリエ変換して得たフーリエスペクトル（絶対値）において、ピーク高さの最大値に対して３０％以上の高さを有するピークのうち、少なくとも１つのピークの周期または幅Λ1 が
１０μｍ≦Λ1 ≦３００μｍ    …＜式３＞
の関係を満たす一方、他の少なくとも１つのピークの周期または幅Λ2 が
０．２μｍ≦Λ2 ≦２．０μｍ    …＜式４＞
の関係を満たすように構成されているから、ヘイズ率曲線のピークが平坦になり（ピークの中央部等に窪みを生じない）、これにより映写画像にムラや明るさの不均一な部分のない高品位な画像が得られるものとなる。なお、スクリーン（１）の凹凸分布をフーリエ変換して得たフーリエスペクトル（絶対値）において、前記＜式３＞を満たすピークがない場合には、投影画像に縞模様などのムラが現れるという問題が生じる。また、前記＜式４＞を満たすピークがない場合には、有効観察範囲が狭くなりスクリーンの周辺部（端縁部）が暗くなるという問題が生じる。
【０１０８】
更に、前記プロジェクション用スクリーン（１）は光散乱性が殆どないため、外光がスクリーン（１）に入射しても殆ど透過し、観察者の方へ反射される光が少ないため、外光の影響を受け難く、映写画像のコントラストも良好である。
【０１０９】
上記実施形態では、前記スクリーン（１）の少なくとも片面に凸部（１５）…が形成された構成が採用されているが、これに代えて前記スクリーン（１）の少なくとも片面に凹部（１６）…が形成された構成を採用しても良い（図１２参照）。勿論、この場合にも前記＜式１＞＜式２＞の両方を満たす必要がある。このような構成でも、前記図１０の構成と同様の効果を享受することができる。
【０１１０】
図１２に示すプロジェクション用スクリーン（１）の断面の凹凸分布（スクリーン表面の断面形状）を図１３（イ）に示す。図１３（イ）の縦軸は凹部（１６）の深さであり、横軸は長さ（水平距離）である。この図１３（イ）から、このプロジェクション用スクリーン（１）における凹部（１６）のΛ1 （周期）が２０μｍであり、＜式１＞の範囲（１０〜３００μｍ）に入っていることがわかる。
【０１１１】
図１３（ロ）は、図１３（イ）の拡大図である。この図１３（ロ）から、このプロジェクション用スクリーン（１）における凹部（１６）のΛ2 （半値幅）が１．２μｍであり、＜式２＞の範囲（０．２〜４．０μｍ）に入っていることがわかる。
【０１１２】
図１３（ハ）は、図１３（イ）のグラフ（断面形状）を０．０９８μｍ間隔で１００μｍの範囲にわたって読み取った１０２４点の数値を用いてフーリエ変換を行って得られたフーリエスペクトルの絶対値（得られたフーリエスペクトルとその複素共役スペクトルとの積）を示すグラフである。この図１３（ハ）の横軸は、凹部（１６）の周期または幅をΛ（μｍ）としたとき、１／Λ（１／μｍ）である。またこの図１３（ハ）の縦軸は、フーリエスペクトルの絶対値（強度）である。
【０１１３】
この図１３（ハ）は、前記図１１（ハ）と全く同一のスペクトルである。従って、本実施形態でも、前記スクリーン（１）の凹凸分布をフーリエ変換して得たフーリエスペクトル（絶対値）において、ピーク高さの最大値に対して３０％以上の高さを有するピークのうち、２つのピークの周期（または幅）Λ1 が前記＜式３＞の関係を満たしている、即ち少なくとも１つのピークの周期（または幅）Λ1 が前記＜式３＞の関係を満たしている。また、前記スクリーン（１）の凹凸分布をフーリエ変換して得たフーリエスペクトル（絶対値）において、ピーク高さの最大値に対して３０％以上の高さを有するピークのうち、２つのピークの周期（または幅）Λ2 が前記＜式４＞の関係を満たしている、即ち少なくとも１つのピークの周期Λ2 が前記＜式４＞の関係を満たしている。
【０１１４】
前記第２発明において、前記凸部（１５）の高さ（ｍ）や前記凹部（１６）の深さ（ｎ）は、０．３〜６μｍに設定されるのが好ましい（図１０、１２参照）。０．３μｍ未満では、十分な光拡散性能が得られ難くなるので好ましくないし、一方６μｍを超えるとこのような凹凸の製作が困難になるし耐久性が低下するので好ましくない。また、前記凸部（１５）や前記凹部（１６）の断面形状は、特に限定されるものではないが、例えばガウス分布型形状、三角形状、矩形状等が好ましく採用される。
【０１１５】
前記凸部（１５）や凹部（１６）の断面形状は、左右方向や上下方向において対称形であることが好ましいが、非対称としても良い。例えば図１４に示す構成では、凸部（１５）の斜面の法線が、スクリーンの表面の法線に対して（θｃ）°上方側に傾斜するように設定されている。これにより、有効観察角度範囲の中心位置（観察方向の中心）がスクリーン（１）の法線方向に対して（θｃ）°下方側に傾斜したものとなっている。
【０１１６】
前記凸部（１５）や凹部（１６）の平面視における配置形態は、多重円形状、多重楕円状、格子状等種々の形態を採用することができる。
【０１１７】
前記第２発明に係るレリーフ型のプロジェクション用スクリーン（１）は、例えばプレス法やインジェクションモールド法によって製造できる。このレリーフ型のプロジェクション用スクリーン（１）を構成する樹脂としては、特に限定されるものではないが、例えばアクリル系樹脂、ポリカーボネート系樹脂等が挙げられる。
【０１１８】
前記第１発明の構成、前記第２発明の構成の両方を同時に具備した構成を採用することもできる。例えば、図１５に示すように、第１発明の構成と第２発明の構成が組み合わされた構成を採用しても良い。即ち、図１５に示す構成では、プロジェクション用スクリーン（１）は、主体部（１１）に対して屈折率が０．００１以上異なる微小層（１２）がスクリーン表面に対して所定の角度をなして略縞模様状に形成された微細構造を有し、かつスクリーンの片面に凸部（１５）…による凹凸が形成されている。
【０１１９】
この発明のプロジェクション用スクリーン（１）は、この発明の効果を阻害しない範囲であれば、支持板、保護層等のほか、反射防止膜等の他の機能層が積層一体化されて構成されていても良い。
【０１２０】
この発明のプロジェクション用スクリーン（１）において、有効観察角度範囲（２θ）は、スクリーン（１）の上下方向と左右方向において同等であっても良いし、或いは上下方向と左右方向で異なっていても良い。一般には、スクリーン（１）の左右方向よりも上下方向の有効観察角度範囲（２θ）を狭くすることが多い。
【０１２１】
この発明に係るプロジェクション用スクリーン（１）は、特に限定されるものではないが、例えば、映画、スライド、オーバーヘッドプロジェクター用のスクリーンとして用いられ、或いはプロジェクション方式テレビ受像機に組み込まれて用いられる。
【０１２２】
前記第１発明に係るプロジェクション用スクリーン（１）は、以下の製造方法によって製造することができる。
【０１２３】
（第１の製造方法）
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する。次いで、移動状態にある前記膜状体に対して、該移動方向に対して略平行に配置された線状光源又は実質的に線状の光源からの光を露光することによって前記感光性組成物を硬化させる。
【０１２４】
例えば、図１６（イ）に示すように、相互に屈折率が０．００１以上異なる少なくとも２種類の感光性材料を含有してなる感光性組成物（３３）を、一対の支持板（３２）（３２）の間に挟み込んで膜状に形成せしめた積層板を、コンベア等によって搬送移動させつつ、該移動方向に対して略平行状態に配置された上方の線状光源（３０）から光を照射する。この時、前記線状光源（３０）の直下位置に遮光板（３１）が配置されており、照射された光は、図１６（ロ）に示すように、この遮光板（３１）の中央部に穿設されたスリット（開口部）（３１ａ）を介して前記感光性組成物（３３）に照射されて、該感光性組成物が硬化する。
【０１２５】
（第２の製造方法）
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する。次いで、移動状態にある前記膜状体に対して、点光源又は実質的に点光源からの光を露光することによって前記感光性組成物を硬化させる。
【０１２６】
（第３の製造方法）
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する。次いで、前記膜状体に対して、位相シフトマスクまたは／および吸収型マスクを介して光を露光することによって前記感光性組成物を硬化させる。
【０１２７】
例えば、図３（イ）に示すような屈折率分布を有するプロジェクション用スクリーンは、隣り合うマスク部の配置間隔が１０〜３００μｍでマスク部の幅が０．２〜４．０μｍである吸収型マスクを介して露光することにより得られる。
【０１２８】
この第３の製造方法において、前記マスクとして、フレネルレンズ、フレネルゾーンプレート、マイクロレンズ及びレンチキュラーレンズからなる群より選ばれた少なくとも１つのマスクを用いた場合には、得られるプロジェクション用スクリーン（１）にフレネルレンズ、フレネルゾーンプレート、マイクロレンズ、レンチキュラーレンズの機能を具備させることができる利点がある。硬化のための照射光としては、平行光、発散光、収束光等が用いられる。また、カラーフィルタ作成用のプロキシミティー露光機等も使用できる。
【０１２９】
（第４の製造方法）
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する。次いで、前記膜状体に対して、前記第２発明のスクリーンを介して光を露光することによって前記感光性組成物を硬化させる。
【０１３０】
この第４の製造方法において、硬化のための照射光としては、平行光、発散光、収束光等が用いられる。また、カラーフィルタ作成用のプロキシミティー露光機等も使用できる。
【０１３１】
（第５の製造方法）
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する。次いで、前記膜状体に対して、２光束干渉法または３以上の多光束干渉法を適用して光を露光することによって前記感光性組成物を硬化させる。
【０１３２】
前記２光束干渉法としては、例えば特開平６−２３０２２４号公報に記載の手法を用いることができる。
【０１３３】
（第６の製造方法）
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する。次いで、前記膜状体の一方の面側に鏡面反射板を配置した状態で前記膜状体の他方の面側から前記膜状体に対して光を露光することによって前記感光性組成物を硬化させる。
【０１３４】
（第７の製造方法）
相互に屈折率が０．００１以上異なる少なくとも２種類の感光性材料を含有してなる感光性組成物、又は相互に屈折率が０．００１以上異なる重合体と光重合性化合物とを含有してなる感光性組成物を膜状に形成する。次いで、前記膜状体の一方の面側に鏡面反射板を配置した状態で前記膜状体の他方の面側から前記膜状体に対して半透過鏡板を介して光を露光することによって前記感光性組成物を硬化させる。
【０１３５】
前記膜状体の厚さは、特に限定されるものではないが、１〜１００μｍに設定するのが好ましい。
【０１３６】
なお、前記第１〜７の製造方法の複数を組み合わせた製法を採用することもできる。また、前記第１〜７のいずれかの製造方法で得られたスクリーンの複数を積層一体化した構成を採用することもできる。例えば、第１の製造方法で得られたスクリーンと、第３の製造方法で得られたスクリーンとを積層一体化してプロジェクション用スクリーン（１）を構成するようにしても良い。
【０１３７】
前記製造方法によって得られたスクリーン中には未反応の感光性材料が残存していることが多いことから、得られたスクリーンに対して更に定着処理を施すのが好ましい。このような定着処理を施すことによって、使用状態においてスクリーン（１）が太陽光や蛍光灯等の光によって暴露されても変化を生じることを効果的に防止することができ、スクリーン（１）の耐久性能を格段に向上させることができる。
【０１３８】
前記定着処理としては、例えば加熱処理（１００〜２３０℃が好適）を行う方法がある。このような加熱処理によって未反応の感光性材料の反応（重合等）を完結またはほぼ完結させることができる。
【０１３９】
前記定着処理としては、広帯域紫外線（３００〜４５０ｎｍ）光源からの非コヒーレントな光（２５０〜４５０ｎｍ）をスクリーンに照射する方法もある。これによって未反応の感光性材料の反応（重合等）を完結またはほぼ完結させることができる。
【０１４０】
前記感光性組成物としては、相互に屈折率が０．００１以上異なる少なくとも２種類の感光性材料を含有してなるもの、又は相互に屈折率が０．００１以上異なる重合体と光重合性化合物とを含有してなるものを用いるが、この屈折率差は０．０１以上とするのが好ましく、特に好ましいのは屈折率差０．０１〜０．０４以上である。
【０１４１】
前記感光性材料としては、特に限定されるものではないが、例えば光重合可能なモノマーまたはオリゴマーを例示できる。具体的には、アクリロイル基、メタアクリロイル基、ビニル基、アリル基等の重合性官能基を少なくとも１個有したモノマーまたはオリゴマーが挙げられる。
【０１４２】
前記モノマーとしては、例えば、テトラヒドロフルフリル（メタ）アクリレート、エチルカルビトール（メタ）アクリレート、ジシクロペンテニルオキシエチル（メタ）アクリレート、フェニルカルビトール（メタ）アクリレート、ノニルフェノキシエチル（メタ）アクリレート、２−ヒドロキシ−３−フェノキシプロピル（メタ）アクリレート、ω−ヒドロキシヘキサノイルオキシエチル（メタ）アクリレート、アクリロイルオキシエチルフタレート、トリブロモフェノキシエチル（メタ）アクリレート、イソボルニル（メタ）アクリレート、２−エチルヘキシル（メタ）アクリレート、ラウリル（メタ）アクリレート、２，２，３，３−テトラフルオロプロピル（メタ）アクリレート、Ｎ−ビニルピロリドン、トリアリルイソシアヌレート、ジエチレングリコールジアリルカーボネート、ジアリリデンペンタエリスリトール等が挙げられる。
【０１４３】
前記オリゴマーとしては、例えば、ポリエステル（メタ）アクリレート、ポリオールポリ（メタ）アクリレート、変性ポリオールポリ（メタ）アクリレート、イソシアヌル酸骨格のポリ（メタ）アクリレート、メラミン（メタ）アクリレート、ヒダントイン骨格のポリ（メタ）アクリレート、ポリブタジエン（メタ）アクリレート、エポキシ（メタ）アクリレート、ウレタン（メタ）アクリレート等の多官能アクリレート又は多官能メタアクリレート等が挙げられる。
【０１４４】
また、前記感光性組成物として、相互に屈折率が０．００１以上異なる重合体と光重合性化合物とを含有してなるものを用いる場合において、重合体としては、例えば熱硬化性樹脂の硬化体等が挙げられ、光重合性化合物としては、例えば前述した光重合可能なモノマーまたはオリゴマー等を例示できる。
【０１４５】
前記熱硬化性樹脂としては、熱により硬化するものであれば特に限定されず、例えば、水酸基を有する化合物とイソシアナート基を有する化合物との混合物、カルボキシル基を有する化合物とイソシアナート基を有する化合物との混合物、カルボキシル基を有する化合物とグリシジルエーテル基を有する化合物との混合物、アミノ基を有する化合物とグリシジルエーテル基を有する化合物との混合物、フェノール類とホルムアルデヒドとの混合物、メラミンとホルムアルデヒドとの混合物など、公知の化合物の各種組み合わせを使用することができる。
【０１４６】
前記感光性材料としては、これらの他に、特許第２８３８２９５号公報、特開２００２−２３６２０２号公報、特開平６−２３０２２４号公報、特開平６−４３６３４号公報、特表平９−５０６４４１号公報、特開２００１−５６６３１号公報、特開２００１−１０９３６０号公報、特開２００１−２８２０８２号公報、特開２００３−２９６０４号公報、特開２００４−２９０４２号公報などに記載の感光性材料やその他の体積型ホログラム記録材料として公知のものを用いることができる。
【０１４７】
前記感光性組成物には、通常、硬化性を向上させるために光重合開始剤が混合される。この光重合開始剤としては、特に限定されるものではないが、例えば、ベンゾフェノン、ベンジル、ミヒラーズケトン、２−クロロチオキサントン、２，４−ジエチルチオキサントン、ベンゾインメチルエーテル、ベンゾインエチルエーテル、ジエトキシアセトフェノン、ベンジルジメチルケタール、２−ヒドロキシ−２−メチルプロピオフェノン、１−ヒドロキシシクロヘキシルフェニルケトン等が挙げられる。
【０１４８】
なお、前記感光性組成物としては、溶剤が混合されたものも使用できる。
【０１４９】
前記感光性組成物を硬化させるのに用いる光は、この組成物を硬化させ得るものであればどのような波長を有していても良く、例えば、可視光、紫外線等が用いられる。具体的な光源としては、例えば水銀ランプ、メタルハライドランプ等が挙げられる。
【０１５０】
前記製造方法において、感光性組成物を膜状に形成するために、通常、支持板が用いられる。即ち、例えば、支持板の表面に感光性組成物を塗布する等して感光性組成物を膜状に形成する。或いは、離間して配置された一対の支持板の間に感光性組成物を挟み込んで感光性組成物を膜状に形成する。このような支持板としては、特に限定されるものではないが、例えばガラス板、透明合成樹脂板等が用いられる。
【０１５１】
しかして、スクリーンの少なくとも片面に前記支持板が積層された構成からなるプロジェクション用スクリーン（１）においては、製品としての耐光性を十分に確保する観点から、これら支持板や保護層或いはこれらの接着に用いる接着フィルムや接着剤の中に、紫外線吸収剤を含有せしめるのが好ましい。また、耐久性を十分に確保する観点から、スクリーン、支持板、保護層、これらの接着に用いる接着フィルムや接着剤の中に、酸化防止剤、光安定剤を含有せしめるのが好ましい。なお、反射防止膜等の他の機能層を積層してプロジェクション用スクリーン（１）を構成しても良い。
【０１５２】
前記紫外線吸収剤としては、例えばサリチル酸誘導体、ベンゾフェノン誘導体、ベンゾトリアゾール誘導体、アクリロニトリル誘導体、安息香酸誘導体、有機金属錯塩等が挙げられる。前記サリチル酸誘導体としては、サリチル酸フェニル、４−ｔｅｒｔ−ブチルフェニルサリチル酸、ｐ−オクチルフェニルサリチル酸等が挙げられる。前記ベンゾフェノン誘導体としては、例えば、２，４−ジハイドロオキシベンゾフェノン、２−ハイドロオキシ−４−メトキシベンゾフェノン、２，２′−ジ−ハイドロオキシ−４−メトキシベンゾフェノン、２−ハイドロオキシ−４−メトキシ−２′−カルボキシベンゾフェノン、２−ハイドロオキシ−４−メトキシ−５−スルホベンゾフェノン３水塩、２−ハイドロオキシ−４−オクトキシベンゾフェノン、２−ハイドロオキシ−４−オキシベンジルベンゾフェノン、２−ハイドロオキシ−４−ステアリルオキシベンゾフェノン、２，２′−ジハイドロオキシ−４，４′−ジメトキシベンゾフェノン等が挙げられる。前記ベンゾトリアゾール誘導体としては、例えば、２−（２′−ヒドロキシ−５′−メチルフェニル）−ベンゾトリアゾール、２−（２′−ヒドロオキシ−３′，５′−ジ−ｔｅｒｔ−ブチルフェニル）−５−クロロベンゾトリアゾール、２−（２′−ヒドロオキシ−５−ｔｅｒｔ−ブチルフェニル）ベンゾトリアゾール、２−（２′−ヒドロオキシ−３′，５′−ジ−ｔｅｒｔ−ブチルフェニル）ベンゾトリアゾール、２−（３，５−ジ−ｔｅｒｔ−アシル−ヒドロキシフェニル）ベンゾトリアゾール、２−（２′−ヒドロオキシ−３′−ｔｅｒｔ−ブチル−５′−メチルフェニル）ベンゾトリアゾール、２−（２′−ヒドロオキシ−３′，５′−ジイソアミルフェニル）ベンゾトリアゾール、２−（２′−ヒドロオキシ−４′−オクトオキシフェニル）ベンゾトリアゾール、２−［２−ヒドロキシ−３−（３，４，５，６−テトラヒドロフタルイミドメチル）−５−メチルフェニル］ベンゾトリアゾール、２−（２−ヒドロキシ−３−ｔｅｒｔ−ブチル−５−メチルフェニル）−５−クロロベンゾトリアゾール等が挙げられる。前記アクリロニトリル誘導体としては、例えば、２−エチルヘキシル−２−シアノ−３，３′−ジフェニルアクリレート、エチル−２−シアノ−３，３′−ジフェニルアクリレート、メチル−α−シアノ−β−メチル−β−（ｐ−メトキシフェニル）アクリレートなどが挙げられる。前記安息香酸誘導体としては、例えば、レゾルシノール−モノベンゾエート、２′，４′−ジ−ｔｅｒｔ−ブチルフェニル−３，５−ジ−ｔｅｒｔ−ブチル−４−ハイドロオキシベンゾエート等が挙げられる。前記有機金属錯塩としては、例えば、ニッケルビス−オクチルフェニルサルファミド、［２，２′−チオビス（４−ｔｅｒｔ−オクチルフェノレート）］−ｎ−ブチルアミンニッケル、エチル−３，５−ジ−ｔｅｒｔ−ブチル−４−ハイドロオキシベンジルリン酸のニッケル塩などが挙げられる。これらの他にも、２，４−ジ−ｔｅｒｔ−ブチルフェニル、３，５−ジ−ｔｅｒｔ−ブチル−４−ヒドロキシベンゾエート等の紫外線吸収剤を例示できる。
【０１５３】
前記酸化防止剤としては、例えばヒンダードフェノール誘導体、チオジプロピオン酸誘導体、ホスファイト誘導体等が挙げられる。前記ヒンダードフェノール誘導体としては、例えば、４，４′−チオビス（６−ｔｅｒｔ−３−メチルフェノール）、４，４′−ブチリデンビス（６−ｔｅｒｔ−ブチル−３−メチルフェノール）、４，４′−ブチリデン−ビス（３−メチル−６−ｔｅｒｔ−ブチルフェノール）２，２′−チオビス（６−ｔｅｒｔ−ブチル−４−メチルフェノール）、２，６−ジ−ｔｅｒｔ−ブチルフェノール、４，４′−メチレンビス（６−ｔｅｒｔ−ブチルフェノール）、４，４′−ビス（２，６−ジ−ｔｅｒｔ−ブチルフェノール）、４，４′−メチレンビス（６−ｔｅｒｔ−ブチル−ｏ−クレゾール）、４，４′−チオビス（６−ｔｅｒｔ−ブチル−ｏ−クレゾール）、１，１，３−トリス（５−ｔｅｒｔ−ブチル−４−ハイドロオキシ−２−メチルフェニール）ブタン、２，４，６−トリス（３，５−ジ−ｔｅｒｔ−ブチル−４−ハイドロオキシベンジル）メシチレン、１，３，５−トリス（３，５−ジ−ｔｅｒｔ−ブチル−４−ハイドロオキシベンジル）イソシアヌレート、１，３−ビス（３，５−ジ−ｔｅｒｔ−ブチル−４−ハイドロオキシフェニル）−２，２′−ビス（２−ドデシルチオニトキシカルボニール）プロパン、１，６−ビス（３，５−ビ−ｔｅｒｔ−ブチル−４−ハイドロオキシフェニールアセトオキシ）ヘキサン、６−（４−ハイドロオキシ−３，５−ジ−ｔｅｒｔ−ブチルアニリノ）−２，４−ビス（ｎ−オクチルチオ）−１，３，５−トリアジン、テトラビス［β−（３，５−ジ−ｔｅｒｔ−ブチル−４−ハイドロオキシフェニール）プロピオニルオキシメチル］メタン、ｎ−オクタデシル−３−（４′−ハイドロオキシ−３′，５′−ジ−ｔｅｒｔ−ブチルフェニール）プロピオネート、ジ−オクタデシル−４−ハイドロオキシ−３，５−ジ−ｔｅｒｔ−ブチルベンジルホスホネート、ジ−エチル−４−ハイドロオキシ−３，５−ジ−ｔｅｒｔ−ブチルベンジルホスホネート等が挙げられる。前記チオジプロピオン酸誘導体としては、例えば、ジラウリル−３，３′−チオ−ジ−プロピオネート、ジ−ステアリルチオ−ジ−プロピオネート等が挙げられる。前記ホスファイト誘導体としては、例えば、トリ−フェニルホスファイト、トリスノニルフェニルホスファイト、ジ−フェニルデシルホスファイト、ジ−クレジルホスファイト等が挙げられる。
【図面の簡単な説明】
【０１５４】
【図１】一実施形態に係る第１発明のプロジェクション用スクリーンを透過型スクリーンとして用いて構成されたプロジェクションディスプレイ装置を示す模式的構成図である。
【図２】図１で用いたプロジェクション用スクリーンの模式的拡大平面図である。
【図３】（イ）は図１で用いたプロジェクション用スクリーンの屈折率分布を示すグラフ、（ロ）はその拡大グラフ、（ハ）は（イ）のグラフをフーリエ変換して得られたグラフである。
【図４】図１で用いたプロジェクション用スクリーンの相対回折光強度を示すグラフである。
【図５】図１のプロジェクション用スクリーンを透過型スクリーンとして用いて構成された他のプロジェクションディスプレイ装置を示す模式的構成図である。
【図６】他の実施形態に係る第１発明のプロジェクション用スクリーンを透過型スクリーンとして用いて構成されたプロジェクションディスプレイ装置を示す模式的構成図である。
【図７】他の実施形態に係る第１発明のプロジェクション用スクリーンを反射型スクリーンとして用いて構成されたプロジェクションディスプレイ装置を示す模式的構成図である。
【図８】（イ）（ロ）（ハ）いずれも他の実施形態に係る第１発明のプロジェクション用スクリーンの断面図である。
【図９】（イ）（ロ）（ハ）いずれもスクリーンにおける微小層の配置の変形例を示す模式的拡大平面図である。
【図１０】一実施形態に係る第２発明のプロジェクション用スクリーンを透過型スクリーンとして用いて構成されたプロジェクションディスプレイ装置を示す模式的構成図である。
【図１１】（イ）は図１０で用いたプロジェクション用スクリーンの凸部分布（スクリーン表面の断面形状）を示すグラフ、（ロ）はその拡大グラフ、（ハ）は（イ）のグラフをフーリエ変換して得られたグラフである。
【図１２】他の実施形態に係る第２発明のプロジェクション用スクリーンを透過型スクリーンとして用いて構成されたプロジェクションディスプレイ装置を示す模式的構成図である。
【図１３】（イ）は図１２で用いたプロジェクション用スクリーンの凹部分布（スクリーン表面の断面形状）を示すグラフ、（ロ）はその拡大グラフ、（ハ）は（イ）のグラフをフーリエ変換して得られたグラフである。
【図１４】他の実施形態に係る第２発明のプロジェクション用スクリーンを透過型スクリーンとして用いて構成されたプロジェクションディスプレイ装置を示す模式的構成図である。
【図１５】この発明の他の実施形態に係るプロジェクション用スクリーンを透過型スクリーンとして用いて構成されたプロジェクションディスプレイ装置を示す模式的構成図である。
【図１６】（イ）は第１の製造方法の概略を示す斜視図、（ロ）は（イ）におけるＹ−Ｙ線の断面図である。
【図１７】プロジェクション用スクリーンの屈折率分布の概念図である。
【図１８】従来のプロジェクション用スクリーンのヘイズ率曲線（入射角に対するヘイズ率曲線）の一例を示すグラフである。
【図１９】従来のプロジェクション用スクリーンの相対回折光強度の一例を示すグラフである。
【符号の説明】
【０１５５】
１…プロジェクション用スクリーン
２…光源
３…プロジェクション用原画像
４…プロジェクションレンズ
５…λ／４位相差板
１１…主体部
１２…微小層
１５…凸部
１６…凹部
２０…プロジェクションディスプレイ装置
【図１】
2006047527.tif 000003
【図２】
2006047527.tif 000004
【図３】
2006047527.tif 000005
【図４】
2006047527.tif 000006
【図５】
2006047527.tif 000007
【図６】
2006047527.tif 000008
【図７】
2006047527.tif 000009
【図８】
2006047527.tif 000010
【図９】
2006047527.tif 000011
【図１０】
2006047527.tif 000012
【図１１】
2006047527.tif 000013
【図１２】
2006047527.tif 000014
【図１３】
2006047527.tif 000015
【図１４】
2006047527.tif 000016
【図１５】
2006047527.tif 000017
【図１６】
2006047527.tif 000018
【図１７】
2006047527.tif 000019
【図１８】
2006047527.tif 000020
【図１９】
2006047527.tif 000021